(57)【要約】【課題】フレキシブル基板を用いた信号伝達手段において、フレキシブル基板の幅を狭くする。【解決する手段】２枚のフレキシブル基板７、８を各基板７、８の湾曲使用領域７１、７２の向きを揃え且つ隙間を存して重なる様に配置し、隣り合うフレキシブル基板７、８の内、一方の基板７の湾曲使用領域７１の側縁から湾曲使用領域７１の湾曲を妨げない幅の複数本の突片７４を基板７と一体に突設し、該突片７４を反対側の側縁へ立体的に折り返して折返し先端を基板７に接合してスペーサ７５を形成している。信号線が増えて本来幅広となるフレキシブル基板を、複数のフレキシブル基板７、８に分けて形成するため、フレキシブル基板７、８の幅を小さくでき、機器の小型化に寄与できる。【選択図】　図２
2004063356.tif 000002
【特許請求の範囲】
【請求項１】
信号を送信又は受信する一方の部材に一端を接続し、信号を送信又は受信する他方の部材に他端を接続するフレキシブルな信号伝達手段であって、複数のフレキシブル基板（７）（８）を各基板（７）（８）の湾曲使用領域（７１）（８１）の向きを揃え且つ複数のスペーサ（７５）を介して隙間を存して重なる様に配置し、隣り合うフレキシブル基板（７）（８）の内、一方の基板（７）の湾曲使用領域（７１）の側縁から湾曲使用領域（７１）の湾曲を妨げない幅の複数本の突片（７４）を基板（７）と一体に突設し、該突片（７４）を反対側の側縁へ立体的に折り返して折返し先端を基板（７）に接合して前記スペーサ（７５）を形成している信号伝達手段。
【請求項２】
信号を送信又は受信する一方の部材に一端を接続し、信号を送信又は受信する他方の部材に他端を接続するフレキシブルな信号伝達手段であって、複数のフレキシブル基板（７）（８）を各基板（７）（８）の湾曲使用領域（７１）（８１）の向きを揃え且つ複数のスペーサ（７５）を存して隙間を存して重なる様に配置し、隣り合うフレキシブル基板（７）（８）の内、一方の基板（７）の湾曲使用領域（７１）の両側縁から湾曲使用領域（７１）の湾曲を妨げない幅の複数の突片（７６）（７６）を基板と一体に突設し、該突片を基板（７）上に立体的に折り返して折返し先端を基板（７）に接合して基板（７）上に２列に前記スペーサ（７５）を形成している信号伝達手段。
【請求項３】
フレキシブル基板（７）の突片（７４）側の側縁に、突片（７４）の先端側に迂回してアース線（７７）が通っている請求項１に記載の信号伝達手段。
【請求項４】
各フレキシブル基板（７）（８）の湾曲使用領域（７１）（８１）側の一端を、光ピックアップ装置（１）のピックアップアセンブリー（３）を含むスライド部材（２）上に接続し、他端を、該スライド部材（２）のスライド移行路に接近して定位置に配備した回路基板（５）に連繋している光ピックアップ装置。
【発明の詳細な説明】
【０００１】
【発明の属する分野】
本発明は、２つの部材を電気的に接続するためのフレキシブル基板を用いた信号伝達手段及び該伝達手段を用いた光ピックアップ装置に関するものである。
【０００２】
【従来の技術及び発明が解決しようとする課題】
図６、図７に示す如く、ディスク記録再生装置に搭載される光ピックアップ装置（１）は、スライド部材（２）上に配備されたピックアップアセンブリー（３）と、該スライド部材（３）の移行路に接近して定位置に配備した回路基板（５）とをフレキシブル基板（９）によって電気的に接続している。
光ピックアップ装置（１）は、レーザー発光制御、信号の記録再生のための対物レンズ（３１）の位置制御、信号の検出等、多くの信号をスライド部材（２）と回路基板（５）との間で交信する必要がある。このためフレキシブル基板（９）の信号線の数が多くなり、該基板（９）の幅が広くなる。
【０００３】
フレキシブル基板（９）上の信号線には、センサー系のノイズに弱い微小信号系と、レーザ発光信号系、対物レンズ制御信号系等のノイズを含み易い信号系がある。そのために、ノイズに弱い信号系とノイズを含み易い信号系とがフレキシブル基板（９）上で接近しない様に基板の幅方向に分けて配置されており、フレキシブル基板（９）が幅広となる要因の１つとなっている。
更に、近年の傾向として、ＣＤ（コンパクトディスク）とＤＶＤ（デジタルバーサタイルディスク）の複合機器が多くなり、上記フレキシブル基板（９）の信号線の数は更に増え、必然的に基板の幅も大きくなる。
【０００４】
フレキシブル基板（９）は、プリント配線を施したシートを打ち抜いて形成するのであるが、フレキシブル基板が広幅になると該基板の取数が少なくなり、コスト高となる。又、フレキシブル基板（９）の端部を接続するための回路基板（５）上の接続領域には回路部品を搭載出来ないから、フレキシブル基板（９）の幅が大きくなることは、回路基板（５）上の回路部品搭載不可領域が大きくなり、結果的に回路基板（５）が大型化する。
【０００５】
他方、ＣＤプレーヤ等、製品としては小型化が追求され、フレキシブル基板（９）の幅広化や回路基板（５）の大型化は、製品小型化の妨げとなる。
本発明は、信号線の数を増やしてもフレキシブル基板の幅広化、回路基板の大型化を阻止できる、フレキシブル基板を用いた信号伝達手段及び該信号伝達手段を用いたピックアップ装置を明らかにするものである。
【０００６】
【課題を解決する手段】
本発明は、信号を送信又は受信する一方の部材に一端を接続し、信号を送信又は受信する他方の部材に他端を接続するフレキシブルな信号伝達手段であって、複数のフレキシブル基板（７）（８）を各基板（７）（８）の湾曲使用領域（７１）（８１）の向きを揃え且つ複数のスペーサ（７５）を介して隙間を存して重なる様に配置し、隣り合うフレキシブル基板（７）（８）の内、一方の基板（７）の湾曲使用領域（７１）の側縁から湾曲使用領域（７１）の湾曲を妨げない幅の複数本の突片（７４）を基板（７）と一体に突設し、該突片（７４）を反対側の側縁へ立体的に折り返して折返し先端を基板（７）に接合して前記スペーサ（７５）を形成している。
【０００７】
一方の基板（７）の湾曲使用領域（７１）の両側縁から該基板と一体に突片（７６）（７６）を延長し、該突片を基板（７）上に立体的に折り返して折返し先端を基板（７）に接合して該基板（７）上に２列にスペーサ（７５）を形成しても可い。
【０００８】
本発明の光ピックアップ装置は、上記信号伝達手段（６）の各フレキシブル基板（７）（８）の湾曲使用領域（７１）（８１）側の一端を、光ピックアップ装置（１）のピックアップアセンブリー（３）を含むスライド部材（２）上に連繋し、他端を該スライド部材（２）のスライド移行路に接近して定位置に配備した回路基板（５）に連繋している。
【０００９】
【作用及び効果】
信号線が増えて本来幅広となるフレキシブル基板を、複数のフレキシブル基板（７）（８）に分けて形成するため、フレキシブル基板（７）（８）の幅を小さくできる。フレキシブル基板（７）（８）の回路基板（５）への接続端部には、該回路基板（５）上のコネクター（図示せず）への挿入部（７０）（８０）が設けられ、他端は拡大して電子部品の搭載領域（７３）（８３）となっていることが多い。プリント配線を施したしたシートを打ち抜いてフレキシブル基板（７）（８）を形成する際、基板（７）（８）の拡大した電子部品の搭載領域（７３）（８３）をずらし、湾曲使用領域（７１）（８１）を可及的に接近させてシートを打ち抜くことにより、基板（７）（８）の取数を多くでき、コスト低減に寄与できる。
【００１０】
スペーサ（７５）によって隣合うフレキシブル基板（７）（８）間の適正隙間を確保でき、センサー出力等の微小信号線へ、レーザ制御、対物レンズ制御信号のノイズが飛び込むことを防止できる。
スペーサ（７５）を形成するための突片（７４）は、フレキシブル基板（７）の側縁から該基板と一体に突設されているため、即ち、フレキシブル基板（７）に対する突片（７４）の位置が決まっているため、突片（７４）の折り返し及び突片（７４）先端のフレキシブル基板（７）への接合の自動化を容易に実施できる。
又、一端がフレキシブル基板（７）に連続している突片（７４）で形成したスペーサ（７５）は、位置決め精度が高く、又、位置ずれも生じない。
【００１１】
フレキシブル基板（７）（８）の幅を小さくすることは、相手回路基板（５）のフレキシブル基板（７）（８）の接続領域を小さく出来、即ち、回路基板（５）の回路部品搭載不可領域を小さくできるから、結果的に回路基板（５）を小さくすることができ、ＣＤプレーヤ等の製品の小型化に寄与できる。
【００１２】
【発明の実施の形態】
図１は本発明を実施した光ピックアップ装置（１）を示している。
光ピックアップ装置（１）は、ガイド軸（２１）（２１）にスライド可能に支持されたスライド部材（２）と、該スライド部材（２）に接近して定位置に配備した回路基板（５）とを略Ｕ字状に湾曲させた信号伝達手段（６）にて電気的に接続して構成される。
スライド部材（２）は、対物レンズ（３１）を含むピックアップアセンブリー（３）を含んでいる。
【００１３】
信号伝達手段（６）は、２枚のフレキシブル基板（７）（８）をスペーサ（７５）を介して隙間を存して重ねて形成される。
両フレキシブル基板（７）（８）は夫々帯状の湾曲使用領域（７１）（８１）を有し、スライド部材（２）側の端部を大きく拡大して電子部品の搭載領域（７３）（８３）を形成し、他端（７２）（８２）は幅広に拡大して回路基板（５）上のコネクター（図示せず）に接続するための挿入部（７０）（８０）を具えている。
両フレキシブル基板（７）（８）の湾曲使用領域（７１）（８１）の幅は、実施例では約１０ｍｍであって、夫々２０本程度の信号線が通っている。
【００１４】
上記２枚のフレキシブル基板（７）（８）の帯状湾曲使用領域（７１）（８１）の向きは揃っており、両湾曲使用領域（７１）（８１）はスペーサ（７５）によって一定の間隔が保たれ、接触することが防止される。
【００１５】
スペーサ（７５）は、一方のフレキシブル基板（７）の湾曲使用領域（７１）の一側縁から複数の細帯状の突片（７４）を湾曲使用領域（７１）の長手方向と直交する方向にフレキシブル基板（７）と一体に突設し、該突片（７４）を反対側の側縁へ円弧状に立体的に折り返して折返し先端を基板（７）に接合して形成される。
突片（７４）の幅は１ｍｍ程度であり、湾曲使用領域（７１）の湾曲の妨げとはならない。
突片（７４）の長さは、フレキシブル基板（７）の幅より３〜５ｍｍ程度長く、スペーサ（７５）の湾曲最大高さは１．５ｍｍ程度となる。
隣合うスペーサ（７５）（７５）の間隔は、信号伝達手段（６）を湾曲使用領域（７１）（８１）のどの部位からＵ字状に湾曲させても、湾曲使用領域（７１）（８１）どうしが接触しないことを保障できる間隔とする。
【００１６】
図４に示す如く、実施例では、フレキシブル基板（７）の、突片（７４）に最も近い線はアース線（７７）となっており、該アース線（７７）は突片（７４）の先端部近傍まで迂回して侵入している。
【００１７】
然して、フレキシブル基板（７）のスペーサ（７５）に当てて他方のフレキシブル基板（８）を重ね、両フレキシブル基板（７）（８）の電子部品搭載領域（７３）（８３）をスライド部材（２）に接着等にて取り付け、他端の挿入部（７０）（８０）を回路基板（５）上のコネクター（図示せず）に接続する。
【００１８】
信号線が増えて本来広幅となるフレキシブル基板を、複数のフレキシブル基板（７）（８）に分けて形成するため、フレキシブル基板（７）（８）の幅を小さくできる。このため、プリント配線したシートを打ち抜いてフレキシブル基板（７）（８）を形成する際、取数を多くでき、コスト低減に寄与できる。突片（７４）の長さは、シートからのフレキシブル基板（７）の取数に不利と思われるか、回路部品搭載領域（７３）が湾曲使用領域（７１）の幅よりも大きく拡大しているから、突片（７４）の存在が取数にマイナス要因となることはない。
【００１９】
フレキシブル基板（７）（８）の幅を小さくすることは、相手回路基板（５）のフレキシブル基板（７）（８）の接続領域を小さく出来、即ち、回路基板（５）の回路部品搭載不可領域を小さくできるから、結果的に回路基板（５）を小さくすることができ、ＣＤプレーヤ等の製品の小型化に寄与できる。
【００２０】
実施例の様に、フレキシブル基板（７）に、突片（７４）へ侵入してアース線（７７）を設けることにより、突片（７４）を立体的に折り返してスペーサ（７５）を形成した場合、アース線（７７）がスペーサ（７５）の補強の役割をなす。又、アース線（７７）が信号線列を横断するため、シールド効果を得られる。
【００２１】
図５は、スペーサ（７５）の他の実施例を示しており、基板（７）の湾曲使用領域（７１）の両側縁から湾曲使用領域（７１）の湾曲を妨げない幅の複数の突片（７６）（７６）を基板と一体に突設し、該突片（７６）（７６）を基板（７）上に三角形状に立体的に折り返して折返し先端を基板（７）に接合して基板上に２列にスペーサ（７５）を形成している。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２３】
例えば、本発明の信号伝達手段（６）は、プリンターのスライドヘッドと、定位置の回路基板の接続等にも実施できる。
又、実施例ではフレキシブル基板（７）（８）を２段に重ねたが、フレキシブル基板を３段以上の複数段に重ねることも可能である。
【図面の簡単な説明】
【図１】光ピックアップの斜面図である。
【図２】信号伝達手段の分解斜面図である。
【図３】図１Ａ−Ａ線に沿う断面図である。
【図４】フレキシブル基板の配線バターンの説明図である。
【図５】他の実施例のスペーサを具えたフレキシブル基板の斜面図である。
【図６】従来例の単体フレキシブル基板を用いた光ピックアップ装置の斜面図である。
【図７】同上の側面図である。
【符号の説明】
（１）　　光ピックアップ装置
（２）　　スライド部材
（３）　　ピックアップアセンブリー
（５）　　回路基板
（６）　　信号伝達手段
（７）　　フレキシブル基板
（７１）　湾曲使用領域
（８）　　フレキシブル基板
（８１）　湾曲使用領域
【図１】
2004063356.tif 000003
【図２】
2004063356.tif 000004
【図３】
2004063356.tif 000005
【図４】
2004063356.tif 000006
【図５】
2004063356.tif 000007
【図６】
2004063356.tif 000008
【図７】
2004063356.tif 000009